(57)【要約】【課題】熱転写プリンタのインクリボンと処理液の交換を同時期に行えて、しかもインクリボンと処理液の調達作業においても、同一流通経路で簡便に入手することが可能な、熱転写プリンタの交換部品を提供することを目的とする。【解決手段】インクリボンを記録紙に熱転写するとともに、前記インクリボンに残った記録跡を、処理液を含浸したスポンジローラを用いて判読不能にする熱転写プリンタの交換部品であって、１つのケース体にインクリボン収納部と、前記処理液を含浸したスポンジローラの収納部を設け、一本のインクリボンと、一本のインクリボンの記録跡を判読不能にするに十分な処理液を備えたスポンジローラのみを収納する構成とした。【選択図】図１
2011201241.tif 000002
【特許請求の範囲】
【請求項１】
インクリボンのインクを記録紙に熱転写するとともに、前記インクリボンに残った記録跡を、処理液が含浸されたスポンジローラを用いて判読不能に処理する熱転写プリンタの交換部品であって、
前記インクリボンの収納部と前記処理液を含浸した前記スポンジローラの収納部とを有する１つのケース体を備え、
当該ケース体には、一本の前記インクリボンと、当該一本のインクリボンの記録跡を判読不能にするに十分な処理液を備えたスポンジローラのみが収納されていることを特徴とする熱転写プリンタの交換部品。
【請求項２】
前記スポンジローラの内部には、前記処理液を貯留するための処理液タンクが内蔵されていることを特徴とする請求項１に記載の熱転写プリンタの交換部品。
【請求項３】
前記処理液は、接着性処理液であることを特徴とする請求項１又は２に記載の熱転写プリンタの交換部品。
【請求項４】
前記処理液は、溶媒性処理液であることを特徴とする請求項１又は２に記載の熱転写プリンタの交換部品。
【発明の詳細な説明】
【技術分野】
【０００１】
本発明は、インクリボンのインクを記録紙に熱転写するとともに、前記インクリボンに残った記録跡を、溶剤などの処理液を含浸した接触手段を前記インクリボンに接触させて消去する熱転写プリンタの交換部品に関する。
【背景技術】
【０００２】
現在、記録紙と熱転写インクリボンを重ね合わせて搬送し、サーマルヘッドの圧接による情報記録によってインクリボンのインクを記録紙に転写する構成の熱転写プリンタが普及している。この熱転写プリンタでは、熱転写が行われた使用済みのインクリボンは巻き取り装置に巻き取られ、１本分のインクリボンがすべて巻き取られると、使用済みのインクリボンの回収と、新しいインクリボンの取り付けが行われる。
【０００３】
しかしこのとき、使用済みのインクリボンには転写された記録情報と同じ内容の情報がネガ情報（反転情報）の状態で残っており、これを他人に見られる事は重大な情報漏洩となり、問題である。
【０００４】
この情報漏洩の問題を解決する方法は様々提案されているが、以下に従来の熱転写プリンタの構成、及びインクリボンに残った記録跡の消去装置の一例を説明する。
【０００５】
図６は、従来の消去機能付き熱転写プリンタの内部構成を示す概略図である。なお、細かい構成の図示及び説明は省略している。図６において、プリンタケース５０の内部には、ロール紙取り付け軸５や印画用ロール紙６（以後ロール紙６と略記する）が取り付けられており、また、図示を省略したリボンカセットの両端にはインクリボン取り付け軸１１、インクリボン巻き取り軸１２が設けられ、インクリボン取り付け軸１１には未使用のインクリボン１３ａが取り付けられ、またインクリボン巻き取り軸１２には使用済のインクリボン１３ｂが巻き取られている。
【０００６】
熱転写ヘッド２０とプラテン２１との間には図示しないロール紙送り機構によって送りこまれたロール紙６と、インクリボン取り付け軸１１からインクリボン巻き取り軸１２に巻き取られる途中のインクリボンが重ね合わせて搬送され、この重ね合わせ部分に熱転写ヘッド２０から印刷情報に従った加熱が行われることによって、印刷情報に対応した未使用インクリボン１３ａのインクがロール紙６に記録される。
【０００７】
そして、この記録されたロール紙６ａはロール紙送り機構によってプリンタケース５０の印画出力口５１より出力される。また熱転写ヘッド２０とプラテン２１の間を通過した使用済のインクリボン１３ｂには記録されたロール紙６の情報と同じ情報がネガ情報（反転情報）として記録跡が残る。
【０００８】
そこで、この使用済のインクリボン１３ｂに残存した記録跡を判読不能にする目的で設けられたのが消去ユニット３０である。この消去ユニット３０による消去方法としては様々な提案がされているが、ここでは本発明に関連する、溶剤などの処理液を含浸した接触手段をインクリボンに接触させて記録跡を消去する方法について記載する。
【０００９】
図６において、消去ユニット３０は下記特許文献１に記載された構成であり、溶剤などの処理液を含浸した塗布ローラー３１を使用し、消去ユニット３０に設けた接触手段としての塗布ローラー３１を、インクリボン巻き取り軸１２に巻き取られた使用済のインクリボン１３ｂの外周面に押しつけることによって使用済のインクリボン１３ｂのインク面を溶
かして記録残りの判読を不能にしている。
【００１０】
なお、消去ユニット３０の構成は、特許文献１の図１に示すような、容器の中に満たされた溶剤などの処理液を直接塗布ローラーに接触させ、その塗布ローラーを使用済インクリボンの外周面に押しつける構成となっている。
【００１１】
図７は特許文献２に示された消去ユニット４０を備えた消去機能付き熱転写プリンタの内部構成を示す概略図であり、消去ユニット４０の部分以外はすべて図６の消去機能付き熱転写プリンタと同じ構成であり、同一要素には同一番号を付し、重複する説明を省略する。
すなわち図７に示す消去ユニット４０が図６に示す消去ユニット３０と異なるところは、接触手段としての塗布ローラー３１の代わりにフェルト材のスキージー４１を使用していることである。
【００１２】
すなわち、溶剤などの処理液を含浸したスキージー４１を使用し、消去ユニット４０に設けた接触手段としてのスキージー４１を、インクリボン巻き取り軸１２に巻き取られた使用済のインクリボン１３ｂの外周面に押しつけることによって使用済のインクリボン１３ｂのインク面を溶かして記録残りの判読を不能にしている。
【００１３】
なお、特許文献２に記載されたスキージーの構成としては、特許文献２の図３に示す如く、容器の中に満たされた溶剤などの処理液に直接スキージーの一端を接触させ、そのスキージーの他端を使用済インクリボンの外周面に押しつける構成としている。
【先行技術文献】
【特許文献】
【００１４】
【特許文献１】実開昭６２−５８６５５号公報（第１図）
【特許文献２】特開昭５９−１０３７７８号公報（第３図）
【発明の概要】
【発明が解決しようとする課題】
【００１５】
しかしながら、特許文献１や特許文献２に示した従来技術においては、インクリボンと消去手段は全く別部品として扱われており、かつまたインクリボンと消去手段に使われている溶剤などの処理液の交換時期は一般的に一致することが少ないため、交換作業はそれぞれ個別に行わなくてはならず、作業効率が悪いという問題があった。
さらにインクリボンと溶剤などの処理液とでは流通経路が異なることが多いため、調達作業においても手間を要していた。
【００１６】
本発明は、上記問題に鑑みなされたもので、インクリボンと溶剤などの処理液との交換を同時期に行えることができ、しかもインクリボンと溶剤などの処理液との調達作業においても、同一流通経路で簡便に入手することが可能な、熱転写プリンタの交換部品を提供することを目的とするものである。
【課題を解決するための手段】
【００１７】
上記課題を解決するため、本発明の熱転写プリンタの交換部品は下記記載の構成を採用する。
【００１８】
本発明は、インクリボンのインクを記録紙に熱転写するとともに、インクリボンに残った記録跡を、処理液を含浸したスポンジローラを用いて判読不能に処理する熱転写プリンタの交換部品であって、インクリボンの収納部と処理液を含浸したスポンジローラの収納部とを有する１つのケース体を備え、一本のインクリボンと、この一本のインクリボンの
記録跡を判読不能にするに十分な処理液を備えたスポンジローラのみが収納されていることを特徴とする。
【００１９】
これにより、インクリボンの交換と処理液の交換は同時期になり、作業効率が低下しない。
【００２０】
またスポンジローラの内部には、処理液を貯蔵するための処理液タンクが内蔵されている。
【００２１】
これにより、処理液の供給が潤沢になるとともに、処理液タンクを内蔵するための余分なスペースが不要になる。
【００２２】
また、処理液は、接着性処理液であってもよい。
【００２３】
これにより、処理液によってインクリボンどうしが接着されるので、無理に剥がすと破れて情報の判読が不能になる。
【００２４】
また、処理液は、溶媒性処理液であってもよい。
【００２５】
これにより、インクリボンの記録跡のインク自体が処理液によって溶解し、情報の判読が不能になる。
【発明の効果】
【００２６】
以上のように、本発明の熱転写プリンタの交換部品によれば、インクリボンと溶剤などの処理液の交換を同時期に行えて、しかもインクリボンと溶剤などの処理液の調達も同一流通経路で簡便に行えるので、極めて作業効率の良い熱転写プリンタの交換部品を提供することができる。
【図面の簡単な説明】
【００２７】
【図１】本発明の第1の実施形態に係る熱転写プリンタの交換部品の外観図である。
【図２】図１に示すスポンジローラの断面図である。
【図３】図２に示すスポンジローラの外観図である。
【図４】本発明の第２の実施形態に係る熱転写プリンタの交換部品のスポンジローラの断面図である。
【図５】図４に示すスポンジローラの外観図である。
【図６】従来の消去機能付き熱転写プリンタの内部構成を示す概略図である。
【図７】従来の他の消去機能付き熱転写プリンタの内部構成を示す概略図である。
【発明を実施するための形態】
【００２８】
以下、本発明の熱転写プリンタの交換部品の実施形態について、図面に基づき詳細の説明を行う。
【００２９】
なお、以後の説明において、「溶剤などの処理液」は、「処理液」と略記する。
【００３０】
[第1の実施形態]
【００３１】
［第１の実施形態の構成説明：図１、図２］
以下、図１および図２を用いて、本発明の熱転写プリンタの交換部品の、第１の実施形態について詳述する。
図１は本発明の熱転写プリンタの交換部品の概要を示す外観図である。図２は第１の実施形態におけるスポンジローラの構造を示す断面図である。
第１の実施形態の概要は、スポンジローラに、一本の使用済のインクリボン１３ｂの記録跡を判読不能にするに十分な処理液３２を含浸させるものである。
まず、図１を用いて第１の実施形態の構成を説明する。
図１に示す様に、熱転写プリンタの交換部品１は、ケース体１４と、未使用のインクリボン１３ａと、インクリボン巻き取り軸１２と、含浸型スポンジローラ６０とから構成される。
【００３２】
図１において、外箱１６は流通や輸送において全体を保護するためのもので、ダンボール材などが用いられる。
ケース体１４は、収納した部品を衝撃から守るため、薄いプラスチックや紙材などが用いられ、未使用のインクリボン１３ａを収納する凹部状のインクリボン収納部１４ａと、インクリボン巻き取り軸１２を収納する凹部状のインクリボン巻き取り軸収納部１４ｂと、含浸型スポンジローラ６０を収納する凹部状のスポンジローラ収納部１４ｃとを有している。
【００３３】
未使用のインクリボン１３ａは、図示していないが熱転写用のインクが塗布されたシートをロール状に構成したもので、インクリボン巻き取り軸１２は使用済のインクリボン１３ｂを巻き取るための巻き取り軸である。
なお未使用のインクリボン１３ａとインクリボン巻き取り軸１２は、熱転写プリンタの構造上ごく近傍に配置され、かつ未使用のインクリボン１３ａのシート先端はインクリボン巻き取り軸１２に貼付された状態で供給されるので、図１に示す様に、インクリボン巻き取り軸収納部１４ｂは、インクリボン収納部１４ａのごく近傍に設けられている。
【００３４】
含浸型スポンジローラ６０は、図２に示す処理液３２を含浸したスポンジローラであって、詳細については後述する。
またケース体蓋１５はケース体１４と同じ材料が用いられ、ケース体１４の蓋として、収納した部材を押えて収納状態を安定化する。
【００３５】
つぎに図２と図３を用いて、含浸型スポンジローラ６０の構造を詳述する。
図３は含浸型スポンジローラ６０を収納する方法を説明する外観図である。
図２に示す様に、含浸型スポンジローラ６０は、スポンジローラ消去部６０ａと、スポンジローラ消去部６０ａに含浸された処理液３２と、軸６０ｂとから構成される。
【００３６】
スポンジローラ消去部６０ａは、処理液３２を含浸しており、使用済のインクリボン１３ｂと回転しながら接触するため、多孔質で柔らかいポリウレタンや、フェルト材などが用いられ、中空のパイプ構造になっている。またスポンジローラ消去部６０ａの材質内部には気孔６０ｃが多数存在し、処理液３２は主に気孔６０ｃに蓄えられている。
【００３７】
スポンジローラ消去部６０ａの中空部には、回転するスポンジローラ消去部６０ａを保持するための軸６０ｂが設けられ、ＡＢＳ材などのプラスチック材が用いられる。
【００３８】
処理液３２は、一本の使用済のインクリボン１３ｂの記録跡を判読不能にするに十分な
量の接着性または溶媒性の処理液である。
【００３９】
処理液３２は、接着性の場合、液体状に貯留されている状態では固化されず、塗布されて薄膜状になることによって固化され、使用済のインクリボン１３ｂを接着する。
【００４０】
また、処理液３２が溶媒性の場合は、処理液３２がインク自体を溶解する。処理液３２としては、例えば、エタノール、イソプロピルアルコール、プロピレングリコール、エチレングリコール、グリセリン、ひまし油などを使用できるが、とりわけプロピレングリコール、エチレングリコール、グリセリン、ひまし油は他に比べ揮発性が低いためより好ましい。
【００４１】
また図３（ｃ）に示す様に、含浸型スポンジローラ６０は、スポンジローラカバー６０ｄの中に収納されている。スポンジローラカバー６０ｄは、処理液３２の蒸発を防ぐとともに含浸型スポンジローラ６０を保護する袋状のカバーで、薄いポリエチレンやポリプロピレンが用いられる。
また図３（ｂ）および図３（ｃ）に示す様に、スポンジローラカバー６０ｄには、含浸型スポンジローラ６０を出し入れするためのジッパー状の封入口６０ｄｉが備えられている。
【００４２】
［第１の実施形態の組立手順説明：図１、図２、図３］
以下、図１、図２、図３を用いて第１の実施形態の組立手順を説明する。
まず図３を用いて含浸型スポンジローラ６０の組立手順を説明する。
【００４３】
図３（ａ）に示す様に、含浸型スポンジローラ６０に一本のインクリボンの記録跡を判読不能にするに十分な処理液３２を含浸させ、図３（ｂ）に示す様にスポンジローラカバー６０ｄの封入口６０ｄｉからスポンジローラカバー６０ｄの中に収納する。そして図３（ｃ）に示す様に、スポンジローラカバー６０ｄの封入口６０ｄｉを閉じる。
【００４４】
つぎに図１に示す様に、ケース体のインクリボン収納部１４ａおよびインクリボン巻き取り軸収納部１４ｂとスポンジローラ収納部１４ｃとに、それぞれ未使用のインクリボン１３ａとインクリボン巻き取り軸１２とスポンジローラカバー６０ｄに収納した含浸型スポンジローラ６０とを収納し、ケース体蓋１５で蓋をしたのち外箱１６に収納し、外箱蓋１６ａを用いて上部を閉じる。
【００４５】
［第１の実施形態の使用手順説明：図１、図２、図３］
以下、図１、図２、図３を用いて第１の実施形態の使用手順を詳述する。
熱転写プリンタのメンテナンスを行うにあたって、図１に示す様に、熱転写プリンタの交換部品１を開梱する。まず、未使用のインクリボン１３ａとインクリボン巻き取り軸１２をそれぞれインクリボン収納部１４ａとインクリボン巻き取り軸収納部１４ｂから取り出し、図示していないが使用済のインクリボン１３ｂおよびインクリボン巻き取り軸１２と交換する。
【００４６】
つぎに含浸型スポンジローラ６０をスポンジローラ収納部１４ｃから取り出す。
図３（ｃ）に示す様に、含浸型スポンジローラ６０はスポンジローラカバー６０ｄに収納されているので、封入口６０ｄｉを開き、含浸型スポンジローラ６０を取り出し使用済の含浸型スポンジローラ６０と交換する。
以上で熱転写プリンタの交換部品１による交換作業は終了する。
【００４７】
［第１の実施形態の効果説明：図１、図２、図３］
以上述べた様に、本発明の第1の実施形態によれば、一本の使用済のインクリボン１３
ｂの記録跡を判読不能にするに十分な処理液３２を含浸した含浸型スポンジローラ６０と、未使用のインクリボン１３ａと、インクリボン巻き取り軸１２とを同時期に交換できるので、熱転写プリンタのメンテナンスにおける作業効率を著しく向上することができる。
また接着性の処理液３２を使用した場合は、使用済のインクリボン１３ｂどうしが接着されるので無理に剥がすとインクが破れて情報は判読不能になり、また溶媒性の処理液３２を使用した場合は、インク自体が溶解するので情報の判読を不能とすることができる。
【００４８】
[第２の実施形態]
【００４９】
［第２の実施形態の構成説明：図４、図５］
以下、図４を用いて、本発明の熱転写プリンタの交換部品の第２の実施形態について詳述する。
図４は処理液タンク付スポンジローラ６１の構造を示す断面図である。
第２の実施形態の概要は、第１の実施形態と比べ、スポンジローラの構造と処理液３２の保存方法が異なっている。
以下の説明において、同一機能を有する要素には同一番号を付し、重複する説明を省略する。
まず、図４を用いて第２の実形形態における処理液タンク付スポンジローラ６１の構成を説明する。
図４に示す様に、内蔵型スポンジローラ６１はスポンジローラ消去部６０ａと、処理液３２と、処理液タンク６１ｂと、処理液タンクキャップ６１ｄとを有している。
【００５０】
処理液タンク６１ｂは、一本の使用済のインクリボン１３ｂの記録跡を判読不能にするに十分な処理液３２を内蔵しており、外周部には処理液３２を流出させるための複数の処理液流出孔６１ｃを有している。
また処理液タンク６１ｂには処理液タンクキャップ６１ｄが設けられている。
【００５１】
［第２の実施形態の組立手順説明：図５］
以下図５を用いて第２の実施形態の組立手順を詳述する。
図５は処理液タンク付スポンジローラ６１の組立の方法を示す外観図である。
【００５２】
まず、図５（ａ）に示す処理液タンク６１ｂを、図５（ｂ）に示す様にスポンジローラ消去部６０ａに挿入する。
つぎに処理液タンク６１ｂに一本の使用済のインクリボン１３ｂの記録跡を判読不能にするに十分な処理液３２を注入し、図５（ｃ）に示す様に処理液タンクキャップ６１ｄで蓋をする。
【００５３】
つぎに図５（ｄ）に示す様に、処理液タンク付スポンジローラ６１をスポンジローラカバー６０ｄに収納し、封入口６０ｄｉで封入して、処理液タンク付スポンジローラ６１が完成する。
なお、処理液タンク付スポンジローラ６１の、ケース体１４および外箱１６への収納については、図１に示された第１の実施形態と同様なので重複する説明は省略する。
【００５４】
［第２の実施形態の使用手順説明］
第２の実施形態の使用手順については、第１の実施形態の使用手順と同様なので重複する説明は省略する。
【００５５】
［第２の実施形態の効果説明］
以上述べた様に、本発明の第２の実施形態によれば、一本の使用済のインクリボン１３ｂの記録跡を判読不能にするに十分な処理液３２を内蔵した処理液タンク付スポンジロー
ラ６１を使用することで、処理液３２が潤沢に供給される。また未使用のインクリボン１３ａと、インクリボン巻き取り軸１２とを同時期に交換できるので、熱転写プリンタのメンテナンスにおける作業効率を著しく向上させることができる。
【００５６】
［全体説明のまとめ］
以上述べた様に、本発明の熱転写プリンタの交換部品によれば、未使用のインクリボン１３ａと、一本の使用済のインクリボン１３ｂの記録跡を判読不能にするに十分な処理液３２の交換を同時期に行えて、しかも未使用のインクリボン１３ａと処理液３２の調達も同一流通経路で簡便に行えるので、極めて作業効率の良い熱転写プリンタの交換部品を提供することができる。
なお、以上説明した実施形態は、これに限定されるものではなく、本発明の要旨を満たすものであれば任意に変更することができることはいうまでもない。
【符号の説明】
【００５７】
１  熱転写プリンタの交換部品
１１  インクリボン取り付け軸
１２  インクリボン巻き取り軸
１３ａ  未使用のインクリボン
１３ｂ  使用済のインクリボン
１４  ケース体
１４ａ  インクリボン収納部
１４ｂ  インクリボン巻き取り軸収納部
１４ｃ  スポンジローラ収納部
１５  ケース体蓋
１６  外箱
１６ａ  外箱蓋
２０  熱転写ヘッド
２１  プラテン
３０  消去ユニット
３１  塗布ローラー
３２  処理液
４０  消去ユニット
４１  スキージー
５  ロール紙取り付け軸
５０  プリンタケース
５１  印画出力口
６、６ａ  ロール紙
６０  含浸型スポンジローラ
６０ａ  スポンジローラ消去部
６０ｂ  軸
６０ｃ  気孔
６０ｄ  スポンジローラカバー
６０ｄｉ  封入口
６１    処理液タンク付スポンジローラ
６１ｂ  処理液タンク
６１ｃ  処理液流出孔
６１ｄ  処理液タンクキャップ
１００  熱転写プリンタ
【図１】
2011201241.tif 000003
【図２】
2011201241.tif 000004
【図３】
2011201241.tif 000005
【図４】
2011201241.tif 000006
【図５】
2011201241.tif 000007
【図６】
2011201241.tif 000008
【図７】
2011201241.tif 000009